(57)【特許請求の範囲】
【請求項１】
ヘテロジニアスネットワークの被干渉ネットワークノード（１００’’）における方法であって、当該ネットワークは、ユーザ機器ノード（ＵＥ）（２００’、２００’’）に無線通信サービスを提供する少なくとも１つのサービングネットワークノード（１００’）を含み、当該方法は、
１つ以上のＵＥ（２００’、２００’’）によってもたらされるアップリンク干渉を検出すること（８００、１１００）と、
前記サービングネットワークノードのうちの少なくとも１つ（１００’）に負荷情報メッセージを通信すること（９００、１３００）と、
１つ以上のＵＥ（２００’、２００’’）によって送信されるべきアップリンク信号の構成について前記少なくとも１つのサービングネットワークノード（１００’）と協定すること（８０２）と、
協定される前記アップリンク信号の構成を用いてＵＥ（２００’）によって送信される前記アップリンク信号を検出すること（８０８、１１０４）と、
検出される前記アップリンク信号に関連付けられる情報を前記少なくとも１つのサービングネットワークノード（１００’）へ通信すること（８１０）と、
を含み、
１つ以上のＵＥによって送信されるべきアップリンク信号の構成について前記少なくとも１つのサービングネットワークノードと協定することは、
前記アップリンク信号を送信するために前記ＵＥによって用いられるべき協定される信号タイミング、周波数、及び／又はコードを識別するためのアップリンク構成メッセージを生成すること（１２００）と、
前記アップリンク構成メッセージを前記被干渉ネットワークノードから前記サービングネットワークノードへ通信すること（１２０２）と、
を含む、方法。
【請求項２】
ヘテロジニアスネットワークのサービングネットワークノード（１００’）における方法であって、当該ネットワークは、複数のネットワークノード（１００’、１００’’、１００’’’）を含み、当該サービングネットワークノード（１００’）は、ユーザ機器ノード（ＵＥ）（２００’、２００’’）に無線通信サービスを提供し、当該方法は、
被干渉ネットワークノード（１００’’）から負荷情報メッセージを受信すること（９００、１３００）と、
１つ以上のＵＥ（２００’、２００’’）によって送信されるべきアップリンク信号の構成について前記被干渉ネットワークノード（１００’’）と協定すること（８０２）と、
前記サービングネットワークノード（１００’）によってサービスを提供されるＵＥ（２００’）によるアップリンク送信を開始すること（８０４、１１０２）と、当該アップリンク送信は、定義された信号タイミング、周波数、及び／又はコードに関して協定される前記アップリンク信号の構成を有するアップリンク信号を含むことと、
協定される前記アップリンク信号の構成を有する検出されるアップリンク信号に関連付けられる情報を前記被干渉ネットワークノード（１００’’）から受信すること（８１０）と、
検出される前記アップリンク信号に応じて、前記ＵＥ（２００’）をアップリンク干渉の一因として識別すること（１１０６）と、
前記ＵＥ（２００’）、及び／又は前記サービングネットワークノードによってサービスを提供される別のＵＥ、によるアップリンク送信を制御して、アップリンク干渉を低減すること（８１２、１１０８）と、
を含み、
１つ以上のＵＥによって送信されるべきアップリンク信号の構成について前記被干渉ネットワークノードと協定することは、前記アップリンク信号の構成を識別するためのアップリンク構成メッセージを前記被干渉ネットワークノードから受信すること、を含む、
方法。
【請求項３】
検出される前記アップリンク信号に応じて前記ＵＥを識別すること（１１０６）は、
前記アップリンク信号を送信するために前記ＵＥ（２００’）によって用いられる検出される前記アップリンク信号に関連付けられる信号周波数、タイミング、及び／又はコードと、協定される前記アップリンク信号の構成の信号周波数、タイミング、及び／又はコードとの比較に応じて前記ＵＥ（２００’）を識別すること（１２０６）、
を含む、請求項２に記載の方法。
【請求項４】
前記定義された構成を有する前記アップリンク信号の前記ＵＥ（２００’）による前記アップリンク送信を開始すること（８０４、１１０２）は、
前記被干渉ネットワークノード（１００’’）又は前記ＵＥ（２００’）からの隣接セルレポートに応じて、前記サービングネットワークノード（１００’）によってサービスを提供される複数の前記ＵＥ（２００’、２００’’）から前記ＵＥ（２００’）を選択する（１６００）ことと、
定義された信号タイミング、周波数、及び／又はコードに関して前記定義された構成に従って前記ＵＥ（２００’）を制御して、前記アップリンク信号を送信させること（１６０４）と、
を含む、請求項２に記載の方法。
【請求項５】
定義された信号タイミング、周波数、及び／又はコードに関して前記定義された構成に従って前記ＵＥ（２００’）を制御して、前記アップリンク信号を送信させること（１６０４）は、
前記ＵＥ（２００’）を制御して、チャネルサウンディング信号として、前記定義された構成に応じて生成されるランダムアクセスプリアンブルと共に前記アップリンク信号として、又は前記定義された構成に応じて生成されるデータを含む復調リファレンス信号としての前記アップリンク信号を送信させること（１７００、１８０２、１９００）、
を含む、請求項４に記載の方法。
【請求項６】
ヘテロジニアスネットワークの被干渉ネットワークノード（１００’’、２３００）であって、当該ネットワークは、ユーザ機器ノード（ＵＥ）（２００’、２００’’）に無線通信サービスを提供する少なくとも１つのサービングネットワークノード（１００’）を含み、当該被干渉ネットワークノードは、
少なくとも１つのサービングネットワークノード（１００’’）と通信するように構成されるネットワークインタフェース（２３０２）と、
少なくとも１つの送受信器（２３０１）と、
１つ以上のＵＥによってもたらされるアップリンク干渉を検出し（８００、１１００）、
負荷情報メッセージを前記サービングネットワークノード（１００’）のうちの少なくとも１つへ通信し（９００、１３００）、
１つ以上のＵＥによって送信されるべきアップリンク信号の構成について前記少なくとも１つのサービングネットワークノードと協定し（８０２）、
協定される前記アップリンク信号の構成を用いてＵＥによって送信される前記アップリンク信号を検出し（８０８、１１０４）、
検出される前記アップリンク信号に関連付けられる情報を前記少なくとも１つのサービングネットワークノードへ通信する（８１０）、
ように構成されるプロセッサ（２３０４）と、
を備え、
前記プロセッサは、
前記アップリンク信号を送信するために前記ＵＥによって用いられるべき協定される信号タイミング、周波数、及び／又はコードを識別するためのアップリンク構成メッセージを生成し（１２００）、
前記アップリンク構成メッセージを前記サービングネットワークノードへ通信する（１２０２）、
ことにより、１つ以上のＵＥによって送信されるべき前記アップリンク信号の構成について前記少なくとも１つのサービングネットワークノードと協定する、
被干渉ネットワークノード（１００’’、２３００）。
【請求項７】
ヘテロジニアスネットワークのサービングネットワークノード（１００’、２３００）であって、当該ネットワークは、複数のネットワークノード（１００’、１００’’、１００’’’）を含み、当該サービングネットワークノード（１００’）は、ユーザ機器ノード（ＵＥ）（２００’、２００’’）に無線通信サービスを提供し、及び、
１つのネットワークノード（１００’’、１００’’’）と通信するように構成されるネットワークインタフェース（２３０２）と、
ユーザ機器ノード（ＵＥ）（２００’）と通信するように構成される少なくとも１つの送受信器（２３０１）と、
負荷情報メッセージを被干渉ネットワークノード（１００’’）から受信し（９００、１３００）、
１つ以上のＵＥによって送信されるべきアップリンク信号の構成について前記被干渉ネットワークノード（１００’’）と協定し（８０２）、
前記サービングネットワークノード（１００’）によってサービスを提供されるＵＥ（２００’）による、定義された信号タイミング、周波数、及び／又はコードに関して協定される前記アップリンク信号の構成を有するアップリンク信号を含むアップリンク送信を開始し（８０４、１１０２）、
協定される前記アップリンク信号の構成を有する検出される前記アップリンク信号に関連付けられる情報を前記被干渉ネットワークノード（１００’’）から受信し（８１０）、
検出される前記アップリンク信号に応じて、前記ＵＥ（２００’）をアップリンク干渉の一因として識別し（１１０６）、及び、
前記ＵＥ（２００’）、及び／又は前記サービングネットワークノード（１００’）によってサービスを提供される別のＵＥ、によるアップリンク送信を制御して、アップリンク干渉を低減する（８１２、１１０８）、
ように構成されるプロセッサ（２３０４）と、
を備え、
前記プロセッサは、前記アップリンク信号の構成を識別するためのアップリンク構成メッセージを前記被干渉ネットワークノードから受信することにより、前記アップリンク信号の構成について前記被干渉ネットワークノードと協定する、
サービングネットワークノード（１００’、２３００）。
【発明の詳細な説明】
【技術分野】
【０００１】
本発明は、無線通信システムに関し、特に、ユーザ機器ノードからネットワークノードへの干渉の管理に関する。
【背景技術】
【０００２】
干渉管理は、無線通信システムにおける無線リソース管理メカニズムの重要な側面である。干渉は、信号処理によって抑制され、及び／又は干渉を回避し／抑制すべくリソースを制御された手法で割り当てることによって回避され得る。干渉管理のためのメカニズムは、通信システムの無線ネットワークノード群に分散されることができ、この場合において、情報は、無線ネットワークノード間で共有されて、当該ネットワークノード間及び／又はユーザ機器ノード（ＵＥ：user  equipment  nodes）とネットワークノードとの間の干渉が回避され／抑制され得る。
【０００３】
技術的背景：ＬＴＥアーキテクチャ
３Ｇ  ＬＴＥ（Long  Term  Evolution）システムの例示的なアーキテクチャは、図１に示される。図１は、（基地局とも呼ばれる）例示的なｅＮｏｄｅＢ又はｅＮＢ（Evolved  Node  B）１００’、１００’’、１００’’’間のＸ２論理インタフェース、及びｅＮＢ１００’、１００’’、１００’’’と例示的なＭＭＥ／Ｓ−ＧＷ（Mobility  Management  Entity/Serving  Gateway）１１０’、１１０’’との間のＳ１論理インタフェースを例示する。ｅＮｏｄｅＢは、Evolved  Universal  Terrestrial  Radio  Access  Network  (E-UTRAN)  NodeBの頭字語である。
【０００４】
ＬＴＥは、２Ｇシステム及び３Ｇシステムと比較して相対的にフラットなシステムアーキテクチャに基づく。各セルは、それぞれのｅＮＢ１００’、１００’’、１００’’’によってサービスを提供され、セル間のハンドオーバは、Ｓ１インタフェースを介してそれぞれのＭＭＥ１００’、１００’’によって、又はＸ２インタフェースを介してｅＮＢ間で直接ハンドリングされることができる。
【０００５】
隣接関係及びＸ２インタフェース
セルは、識別シグネチャ又は波形をブロードキャストする。当該識別シグネチャ又は波形は、フィンガプリントとして見なされることができ、ＵＥは、当該フィンガプリントを時間リファレンス及び周波数リファレンスの双方として並びにセルを識別するために用いる。各波形は、物理セルＩＤ（ＰＣＩ：Physical  Cell  Identity）によって識別される。これらの識別シグネチャは、一意ではなく（例えば、ＬＴＥにおいては５０４個の異なるＰＣＩが存在する）、それ故に、隣接セルを一意に識別するためには用いられることができない。また、各セルは、システム情報の一部としてＣＧＩ（globally  unique  cell  identifier）をブロードキャストする。
【０００６】
ｅＮＢは各々、それぞれのセルについて隣接関係テーブル（ＮＲＴ：neighbor  relation  table）を維持する。一般に、各エントリは、ｅＮＢがネイバーについて知得する必要がある全てを含む。従来、ＮＲＴは、ｅＮＢのインストールの前にカバレッジ予測によるセルプランニングツールを用いて事前設定されていた（populated）。地図及び建物のデータにおける不完全性に起因して、予測誤差は、事業者がドライブテスト／歩行テストを実行して、カバレッジ領域を完全に網羅し及び全てのハンドオーバ領域を識別することを余儀なくさせていた。これは、ＵＥ  ＡＮＲ（User  Equipment  Automatic  Neighbor  Relations）機能を特徴とするＬＴＥにおいて著しく簡略化される。これは、ＵＥが隣接セルのＣＧＩ情報をデコードし及び要求に応じてレポートしなければならないことを意味する。ｅＮＢが別のｅＮＢにＭＭＥを介してシグナリングする際に用いるのはＣＧＩである。なぜなら、ＭＭＥはＣＧＩの一部であるｅＮＢ  ＩＤに基づいてメッセージをルーティングするためである。
【０００７】
ポリシーが隣接関係についてＸ２を確立することとなっており、且つＸ２がまだ利用可能ではない場合、ターゲットｅＮＢのＩＰアドレスを復元するためにＣＧＩが用いられることができ（３ＧＰＰ  ＴＳ  ３６．４１３）、当該ＩＰアドレスはＸ２セットアップのために用いられる。Ｘ２インタフェース（３ＧＰＰ  ＴＳ  ３６．４２３）が確立されると、ｅＮＢ群は、それらによってサービスを提供されるセルについての、ＰＣＩ及びＣＧＩを含む情報を共有することができる。さらに、ｅＮＢ群は、例えば干渉管理をサポートするために、負荷情報（３ＧＰＰ  ＴＳ  ３６．４２３、セクション８．３．１及び９．１．２．１）を共有して、現在のセル負荷状況について互いに通知することができる。
【０００８】
サービスを提供される特定のセルに関する、ｅＮＢからのそのような負荷情報は、サービスを提供されるセルに関して及び様々な周波数リソースについてのｅＮＢ受信機における干渉状況について通知し、特に、高いアップリンク干渉について通知するためのＵＬ干渉過負荷標識を含み得る。
【０００９】
負荷情報は、ターゲットセル及び示される周波数リソースにおいてもたらされる潜在的に高い干渉について通知するためのアップリンク高干渉標識も含み得る。これが典型的に用いられるのは、第１のセルによってサービスを提供されるＵＥが候補セルとしての第２のセルにレポートして、当該第２のセルにサービスを提供するｅＮＢに、当該ＵＥが割り当てられる周波数リソースにおいてかなり高いアップリンク干渉を経験し得ることを通知する際である。
【００１０】
ランダムアクセス
ランダムアクセス（ＲＡ）は、アップリンク制御プロシージャとしての役割を果たして、ＵＥがネットワークにアクセスすることを可能にする。ＲＡプロシージャは、２つの主な目的を果たす。第１に、ＲＡプロシージャは、ＵＥにそのＵＬタイミングをｅＮＢによって予期されるタイミングに合わせさせて、他のＵＥ送信への干渉を最小限にする。ＵＬの時間のアラインメントは、データ送信が開始されることができる前のＥ−ＵＴＲＡＮにおける要件である。第２に、ＲＡプロシージャは、ＵＥがその存在をネットワークに通知するための能力を提供し、及びｅＮＢがシステムへの初期アクセスをＵＥに与えることを可能にする。初期アクセス期間中の使用に加えて、ＲＡは、ＵＥがアップリンク同期を失った場合又はＵＥがアイドルモード若しくは低電力モードにある場合にも用いられるであろう。
【００１１】
図２は、ＲＡプロシージャの４つの主な動作ステップ／方法ステップ、動作フェーズ／方法フェーズを例示する。ステップ１は、ＵＥ２００からｅＮＢ１００へランダムアクセスプリアンブルを送信することを含み、これは、ｅＮＢ１００がＵＥ２００の送信タイミングを推定することを可能にする。アップリンク同期がなければＵＥは如何なるアップリンクデータも送信できないため、アップリンク同期は必須である。
【００１２】
ランダムアクセスプリアンブルを生成するために、ＵＥ２００は、どのプリアンブルが利用可能であるか（ランダムに１つを選択すべきか、又は特定の１つを用いるべきか）、１つの又は繰り返されるプリアンブルが用いられるべきか、ｅＮＢ１００における所望の受信電力レベルは何であるべきか、プリアンブル受信に障害が起きた場合、どの電力増加ステップが用いられるべきか、ランダムアクセスプリアンブル送信の最大数は何であるか、プリアンブルを送信することはいつ許可されるのか等についての情報を取得する。
【００１３】
ＵＥ２００がハンドオーバの一部としてのランダムアクセスなどの専用シグナリングを介してフェーズＩ情報を取得する場合（当該専用シグナリングはターゲットセルから発信され、サービングセルによってＵＥ２００へ転送される）、特定のプリアンブルが構成され得る。また、専用タイマＴ３０４は、専用シグナリングによって提供される値から開始される。
【００１４】
ステップ２（図２）は、アップリンクタイミングを訂正させるための、ＵＥ２００へのタイミングアドバンスコマンドなどのランダムアクセス応答をｅＮＢが送信することを含む。アップリンク同期を確立することに加えて、ステップ２は、ＲＡプロシージャにおける後続のステップ３において用いられるべきアップリンクリソース及び一時的なＩＤもＵＥ２００に割り当てる。
【００１５】
ＵＥ２００は、ＲＡ応答ウィンドウ内でランダムアクセス応答についてセルのパケットデータ制御チャネル（ＰＤＣＣＨ：Packet  Data  Control  CHannel）をモニタリングする。ＲＡ応答ウィンドウは、プリアンブル送信の終了を含むサブフレームにおいて開始して３つのサブフレームを含み、長さra-ResponseWindowSizeを有する。
【００１６】
応答が受信されず、且つプリアンブル送信の最大数に到達し又はタイマＴ３０４が満了した場合、ハンドオーバの試行に障害が起きたとみなされ、より上位の層に通知される。ついで、ＵＥ２００は、ＲＲＣ接続再確立プロシージャを開始し、再確立要因をハンドオーバ障害と特定してソースセルへの接続を復元する。さらに、無線リンク障害レポートが準備される。
【００１７】
ステップ３（図２）は、ＵＥ２００がｅＮＢ１００にメッセージシグナリングを送信することを含む。このメッセージの主な機能は、ＵＥ２００を一意に識別することである。このシグナリングの正確な内容は、ＵＥ２００の状態、例えば、ＵＥ２００がｅＮＢ１００に予め知得されているか否かに依存する。
【００１８】
ステップ４（図２）は、複数のＵＥ２００が同じリソース上でシステムへのアクセスを試行した場合における競合解決を含む。ハンドオーバの場合において、ターゲットｅＮＢ１００’’は、ランダムアクセス情報をソースｅＮＢ１００’にシグナリングし得る。ｅＮＢ１００’は、当該情報をＵＥ２００へさらに伝達するであろう。この情報は、フェーズ２において一意に識別済みの予約されたＲＡプリアンブルを含み得る。これは、コンテンションフリーランダムアクセスとして知られる。
【００１９】
チャネルサウンディング
サウンディングリソースは、リファレンスシンボルをアップリンク帯域幅全体又はその一部にわたって送信するために用いられる。アップリンクサウンディングリファレンス信号を送信することによって、ＵＥ２００は、ｅＮＢ１００にアップリンクチャネル品質についての情報を提供することができる。この情報は、例えば、アップリンクチャネル依存のスケジューリング、アップリンクリンク適応、及び時分割複信（ＴＤＤ：time  division  duplex）においてみられるようなレシプロカルチャネルの場合におけるダウンリンクビーム形成について利用されることができる。サウンディングリファレンス信号は、サブフレーム内の最後のシンボル上で送信される。幾つかのＵＥ２００は、サウンディングを同じサブフレーム内で送信することができる。これは、好適には、同じサウンディングリファレンス信号が付近の他のセルにおいて割り当てられないという意味においてサウンディング信号が局所的に一意であるようにサウンディングリファレンス信号のセットを各セルに割り当てることによって可能となる。
【００２０】
複数キャリア及びキャリアアグリゲーション
３ＧＰＰ  ＬＴＥにおいて、セルは、ダウンリンク及び随意的にアップリンクキャリア並びにカバレッジエリアに関連付けられる。事業者が１つより多くのＬＴＥキャリアについてのライセンスを有する場合、ｅＮＢ１００は、複数のセルを構成することができ、各々に異なるキャリアが割り当てられる。ｅＮＢ１００は、ＵＥ２００のサービスニーズ及びネットワーク内でキャリアごとに利用可能な容量に依存して、ＵＥ２００に異なるキャリアを割り当て（再割り当てし）得る。割り当てメカニズムは、実質的に、サイト内ハンドオーバメカニズムである。
【００２１】
代替案は、キャリアアグリゲーションであり、ＵＥ２００にプライマリコンポーネントキャリアとゼロ個以上のセカンダリコンポーネントキャリアとが割り当てられて、広い帯域幅にわたるサービスを可能にする。それによって、スケジューラにおいて利用可能なコンポーネントキャリア上の周波数リソースを割り当てる（再割り当てする）ことが可能である。
【００２２】
図３Ａ〜図３Ｂは、例示的な周波数リソース割り当て動作及び方法を例示する。図３Ａを参照すると、ＵＥ２００には、複数の利用可能なキャリアの中から一度に一つのキャリアが周波数リソースとして割り当てられる。図３Ｂを参照すると、周波数リソース割り当てが全ての利用可能なキャリアに広がることができる場合、複数のキャリアは、ＵＥ２００による同時使用のためにアグリゲートされる。
【００２３】
ネットワーク管理アーキテクチャ
３ＧＰＰにおいて仕様化されるユーザプレーン及び制御プレーンに加えて、構成、機器管理、障害管理、性能管理等をサポートするためのネットワーク管理についてのアーキテクチャが存在する。
【００２４】
図４は、例示的な管理システムのブロック図を例示する。ｅＮＢとも呼ばれるノードエレメント（ＮＥ）４０２は、オペレーション及びサポートシステム（ＯＳＳ）とも呼ばれるドメインマネージャ（ＤＭ）４００’、４００’’によって管理される。個別のエレメント（ｅＮＢ）１００’、１００’’は、ＤＭ４００’、４００’’の一部であるエレメントマネージャ（ＥＭ）によってハンドリングされるとみなされることもある。典型的に、ＤＭは、同じベンダからの機器のみを管理する。ＤＭ４００’、４００’’のタスクは、ネットワークエレメントの構成、障害管理及び性能モニタリングを含む。後者は、イベント及びカウンタからの広範なデータがネットワークエレメントからＤＭ４００’、４００’’へ定期的に伝達されることを意味し得る。
【００２５】
ＤＭ４００’、４００’’は、Ｉｔｆ−Ｎを介してネットワークマネージャ（ＮＭ）４０２によってさらに管理され得る。２つのＮＥ１００’、１００’’は、Ｘ２によってインタフェースがとられ、２つのＤＭ４００’、４００’’間のインタフェースは、Ｉｔｆ−Ｐ２Ｐと呼ばれる。これは、マルチベンダ管理が共通のＮＭ４０２及びインタフェースＩｔｆ−Ｎを介して又はピアツーピアインタフェースＩｔｆ−Ｐ２Ｐを介してハンドリングされることができることを意味する。さらに、ｅＮＢ１００’、１００’’間のＸ２インタフェースも幾らかの管理をサポートする。さらに、このインタフェースは、標準化されており、それ故に、異なるベンダからのｅＮＢ間で機能する。
【００２６】
ヘテロジニアスネットワーク
セルラネットワークにおいて、高トラフィックな、即ち多くのユーザが集中しているエリアが存在することがある。このようなエリアにおいては、付加的な容量を配置して、ユーザの満足度を確かなものにすることが望ましいであろう。付加される容量は、付加的な高出力（マクロ）基地局の形式とすることも、又は、より小さなエリア上の容量増加（boost）に集中するためにより低い出力電力のノードを配置し、従ってより小さなエリアをカバーすることもあり得る。
【００２７】
カバレッジ拡張の必要がある不良なカバレッジを有するエリアも存在するであろう。繰り返しになるが、カバレッジを拡張する１つの手法は、低出力電力のノードを配置して、小さいエリアにおけるカバレッジ増加に集中することである。
【００２８】
上記の場合において低出力電力のノードを選択するための１つの根拠は、高電力（マクロ）ネットワークへの影響を最小限に抑えることができることである。例えば、高電力（マクロ）ネットワークが干渉を経験し得るのは、より小さなエリアである。
【００２９】
現在、当業界においては、低電力ノードの使用に向かう強い傾向がある。このタイプのネットワーク配置について用いられる様々な用語には、ヘテロジニアスネットワーク、マルチレイヤネットワーク、又は簡潔にＨｅｔＮｅｔｓがある。
【００３０】
図５は、（マクロセルとも呼ばれる）広いエリアカバレッジを提供する高電力（マクロ）基地局（例示される高いタワー）を例示する。図５は、小さいエリア容量／カバレッジを提供するために配置される低電力ノードも示す。この例において、ピコ基地局、中継装置、及びホーム基地局（フェムトセル）が示される。図５はフェムトセルのクラスタを示すが、単一セルの配置も存在し得る。
【００３１】
高電力（マクロ）基地局によってサービスを提供されるＵＥが場合により制限されたアクセスを有してフェムト基地局の近くに配置される場合、当該フェムト基地局は、著しいダウンリンク干渉を当該ＵＥにもたらし得る。これを回避する１つのメカニズムは、図６にあるように、高電力（マクロ）基地局においては２つのキャリアｆ１及びｆ２を利用可能とし、フェムト基地局においてはｆ２のみを利用可能とすることである。キャリアｆ２で高電力（マクロ）基地局によってサービスを提供され且つキャリアｆ２でダウンリンクにおいて干渉されるＵＥは、キャリアｆ１にハンドオーバされる。キャリアｆ１は、エスケープキャリアと呼ばれることもある。
【００３２】
同様の状況において、高電力（マクロ）基地局によってサービスを提供されるＵＥは、セカンダリコンポーネントキャリアｆ２がフェムト基地局によって干渉されない場合、プライマリコンポーネントキャリアｆ１をセカンダリコンポーネントキャリアｆ２とアグリゲートすることができる。この場合において、ＵＥは、プライマリコンポーネントキャリアｆ１上でのみ動作する。それにもかかわらず、ＵＥに割り当てられるセカンダリキャリアは、フェムト基地局からの干渉を受けないことがあり得るが、ＵＥによるその使用はフェムト基地局セルに高い干渉をもたらし得る。
【００３３】
上記の不都合を克服するための既知のアプローチには、幾つかの欠点がある。特に、セル及びキャリアの選択は、ＵＥによるダウンリンクリファレンス信号測定に基づく。これは、割り当てられるキャリアがダウンリンクに関しては（無線効率の観点から）最適な選択から成るが、アップリンクについては必ずしもそうではないことを意味する。さらに、ＵＬ高干渉標識を介した詳細なアップリンク干渉調整は、特定のＵＥが特定の第２のセルに干渉し得るという知識によってなされる。しかしながら、ダウンリンク測定に基づいてこの干渉関係を識別することは、常に可能とは限らない。ヘテロジニアスネットワークにおいて、高電力（マクロ）ｅＮＢによってサービスを提供されるＵＥは、低電力基地局からのダウンリンクを検出することすらなく、著しい干渉を当該低電力基地局にもたらすことがあり得る。
【００３４】
このセクションにおいて上述されたアプローチ及び現在認識されている問題は追及され得るが、必ずしも過去に着想され又は追求されたアプローチ及び／又は問題とは限らない。それ故に、本明細書において明確に示されない限り、このセクションにおいて上述されたアプローチ及び問題は、本願について優先権を主張する如何なる出願の特許請求の範囲の従来技術でもなく、このセクションに含めることによって従来技術であると認められたわけでもない。
【発明の概要】
【課題を解決するための手段】
【００３５】
本発明の１つの実施形態は、ユーザ機器ノード（ＵＥ）に無線通信サービスを提供する少なくとも１つのネットワークノードにおいて実行されることができる方法を対象とする。当該方法は、被干渉ネットワークノードにおいてアップリンク干渉を検出することを含む。アップリンク干渉に応じて、定義された構成を有するアップリンク送信がサービングネットワークノードによってサービスを提供されるＵＥから開始される。アップリンク信号は、定義された構成を用いて被干渉ネットワークノードにおいて検出される。ＵＥは、検出されたアップリンク信号に応じてアップリンク干渉の一因として識別される。ＵＥ及び／又はサービングネットワークノードによってサービスを提供される別のＵＥによるアップリンク送信は、アップリンク干渉を低減するように制御される。
【００３６】
従って、ネットワークノードに干渉をもたらしている特定のＵＥが当該ＵＥからのアップリンク送信を用いて識別されるため、上述された問題は克服され得る。これらの特定のＵＥは、ネットワークノードへのアップリンク干渉を低減するように制御されることができる。このようにして、特定の干渉のソースが識別され及び管理されることができ、これによって、重複するセル間の干渉の低減、及び／又は重複するセル間のより効率的な周波数再利用が可能になり得る。
【００３７】
幾つかのさらなる実施形態において、サービングネットワークノード及び／又は被干渉ネットワークノードは、ＵＥによって送信されるべきアップリンク信号の構成を定義し得る。アップリンク信号構成は、アップリンク信号を送信する際にＵＥによって用いられるべき周波数、タイミング、及び／又は信号コードを定義し得る。被干渉ネットワークノードは、アップリンク信号が送信される場合、アップリンク構成メッセージによって識別される定義された周波数、タイミング、及び／又は信号コードを用いて当該アップリンク信号を検出しようと試行することができる。ＵＥは、アップリンク信号を被干渉ネットワークノードによる検出のためのサウンディング信号、ランダムアクセスプリアンブル、及び／又は復調リファレンス信号として送信するように制御され得る。
【００３８】
幾つかのさらなる実施形態において、被干渉ネットワークノードへの干渉をもたらすものとして識別された１つ以上の周波数の使用を回避するようにＵＥを制御し、利用可能な周波数からの選択を、識別された１つ以上の干渉周波数を選択することなく、アップリンク送信についてＵＥによるアグリゲートされた使用のために行い、及び／又は、サービングネットワークノードと被干渉ネットワークノードとの間でＵＥによるアップリンク送信のスケジュールを協調的に行うことによって、被干渉ネットワークノードへのさらなる干渉は回避されることができる。
【００３９】
本発明の別の実施形態は、無線通信ネットワークのサービングネットワークノードなどの第１のネットワークノードを対象とする。第１のネットワークノードは、ネットワークインタフェースと、少なくとも１つの送受信器と、プロセッサと、を備える。ネットワークインタフェースは、第２のネットワークノードと通信するように構成される。送受信器は、ＵＥと通信するように構成される。プロセッサは、第２のネットワークノードによって検出されるアップリンク干渉をレポートする干渉メッセージを当該第２のネットワークノードから受信し、及び、当該干渉メッセージに応じて、定義された構成を有するアップリンク信号のＵＥによる送信を開始するように構成される。プロセッサは、ＵＥによって送信されるアップリンク信号の受信をレポートするアップリンク信号メッセージを第２のネットワークノードから受信し、及び、当該アップリンク信号メッセージに応じて、ＵＥをアップリンク干渉の一因として識別する。プロセッサは、ＵＥ及び／又は少なくとも１つの送受信器と通信する別のＵＥによるアップリンク送信を制御して、アップリンク干渉を低減する。
【００４０】
本発明の別の実施形態は、無線通信ネットワークの被干渉ネットワークノードなどの第１のネットワークノードを対象とする。第１のネットワークノードは、ネットワークインタフェースと、少なくとも１つの送受信器と、プロセッサと、を備える。ネットワークインタフェースは、第２のネットワークノードと通信するように構成される。送受信器は、ＵＥと通信するように構成される。プロセッサは、送受信器によって受信される信号におけるアップリンク干渉を検出し、及び検出されたアップリンク干渉をレポートする干渉メッセージを第２のネットワークノードへ通信するように構成される。プロセッサは、ＵＥによって送信される定義された構成を有するアップリンク信号を検出し、及びＵＥによって送信されるアップリンク信号の受信をレポートするアップリンク信号メッセージを第２のネットワークノードへ通信する。
【００４１】
本発明の実施形態に係る他の方法及びネットワークノードは、以下の図面及び詳細な説明を検討すれば当業者には明らかであり又は明らかになるであろう。全てのそのような付加的な方法及びネットワークノードはこの説明中に含まれ、本発明の範囲内にあり、及び添付の特許請求の範囲によって保護されることが意図される。さらに、本明細書において開示される全ての実施形態は別個に実装され又は任意の手法及び／若しくは組み合わせにおいて結合されることができることが意図される。
【図面の簡単な説明】
【００４２】
本開示のさらなる理解を提供するために含まれ、並びに本願に包含され及び本願の一部を構成する添付の図面は、本発明のある非限定的な実施形態を例示する。図面において：
【００４３】
【図１】本発明の実施形態と共に用いられることができる通信システムのブロック図である。
【図２】ランダムアクセスプロシージャの幾つかのステップを実行するための、ＵＥとネットワークノードとの間の動作、方法及び関連付けられるメッセージフローの図である。
【図３Ａ】例示的な周波数リソース割り当て動作及び方法を例示する。
【図３Ｂ】例示的な周波数リソース割り当て動作及び方法を例示する。
【図４】図１の通信システムと共に用いられ得る例示的な管理ノードのブロック図を例示する。
【図５】広いエリアカバレッジを提供する高電力（マクロ）基地局と、小さいエリア容量／カバレッジを提供するために配置される複数の低電力ノードと、を例示する。
【図６】ＵＥと通信するために高基地局及び低電力ノードによって用いられ、並びに干渉をもたらし得る周波数を例示する。
【図７】高電力基地局のセル内に組み込まれる低電力基地局のセルを例示する。
【図８】高電力基地局によってサービスを提供される１つ以上のＵＥが低電力基地局に干渉をもたらすものとして識別される動作及び方法のフローチャートである。
【図９】図８において例示される動作及び方法に関連付けられるさらなる動作及び方法を例示する信号フロー図である。
【図１０】図８において例示される動作及び方法に関連付けられるさらなる動作及び方法を例示する信号フロー図である。
【図１１】本発明の種々の実施形態に係る、少なくとも１つのネットワークノードにおいて実行される動作及び方法のフローチャートである。
【図１２】本発明の種々の実施形態に係る、少なくとも１つのネットワークノードにおいて実行される動作及び方法のフローチャートである。
【図１３】本発明の種々の実施形態に係る、少なくとも１つのネットワークノードにおいて実行される動作及び方法のフローチャートである。
【図１４】本発明の種々の実施形態に係る、少なくとも１つのネットワークノードにおいて実行される動作及び方法のフローチャートである。
【図１５】本発明の種々の実施形態に係る、少なくとも１つのネットワークノードにおいて実行される動作及び方法のフローチャートである。
【図１６】本発明の種々の実施形態に係る、少なくとも１つのネットワークノードにおいて実行される動作及び方法のフローチャートである。
【図１７】本発明の種々の実施形態に係る、少なくとも１つのネットワークノードにおいて実行される動作及び方法のフローチャートである。
【図１８】本発明の種々の実施形態に係る、少なくとも１つのネットワークノードにおいて実行される動作及び方法のフローチャートである。
【図１９】本発明の種々の実施形態に係る、少なくとも１つのネットワークノードにおいて実行される動作及び方法のフローチャートである。
【図２０】本発明の種々の実施形態に係る、少なくとも１つのネットワークノードにおいて実行される動作及び方法のフローチャートである。
【図２１】本発明の種々の実施形態に係る、少なくとも１つのネットワークノードにおいて実行される動作及び方法のフローチャートである。
【図２２】本発明の幾つかの実施形態に従って構成されるネットワークノードのブロック図である。
【図２３】本発明の幾つかの実施形態に従って構成されるＵＥのブロック図である。
【発明を実施するための形態】
【００４４】
以下の説明において、本発明の完全な理解を提供するために多くの具体的な詳細が述べられる。しかしながら、本発明はこれらの具体的な詳細無しに実施をされ得ることが当業者によって理解されるであろう。他の例において、周知の方法、プロシージャ、コンポーネント及び回路は、本説明を曖昧にしないように詳細には説明されていない。
【００４５】
以下の例示的な実施形態は、ＵＥによるネットワークノードへのアップリンク干渉を管理するための既存のシステム及び方法と比較した複数の利点及び利益を提供する。ただし、本説明を考慮すると、本発明はこれらの利点又は利益のうちのいずれか又は全てを生み出すこれらの実施形態に限定されないこと、並びに特定の実装に依存して他の利点及び利益が実現され得ることが、当業者によって認識されるであろう。
【００４６】
本発明の種々の実施形態は、チャネルサウンディングを用いて、他のセルによってサービスを提供されるアップリンク干渉源を識別することを対象とする。少なくとも幾つかの実施形態において、例えば、チャネルサウンディング構成についての情報は、ネットワークノード（ｅＮＢ又は基地局）間においてピアツーピアで共有される。アップリンク干渉源が識別されると、この情報は、当該干渉源のサービングネットワークノードへ伝達され、当該ネットワークノードは、１つ又は幾つかのキャリアの使用を回避することによって又は与干渉ＵＥの意図される周波数リソース割り当てを被干渉ネットワークノードに示すことによって、その干渉を低減する。少なくとも幾つかの実施形態によれば、「チャネルサウンディング」及び「アップリンク信号」という用語は、本詳細な説明において互換可能である。
【００４７】
ＨｅｔＮｅｔ環境において、ＵＥは、セルのリファレンス信号を検出することができずに当該セルにアップリンク干渉をもたらすことがあり得る。そのような状況において、ＵＥにサービスを提供しているネットワークノードにとって、どのＵＥが干渉をもたらしているかを理解すること、及び、それ故に、セカンダリキャリアの割り当てを調整することは困難である。
【００４８】
以下の説明は、２つの主要な部分を含み、第１の部分は、アップリンク干渉源を識別するためのメカニズムを議論し、第２の部分は、当該識別に続いてとるべきアクションを議論する。考慮されるシナリオは、図７によって例示されるように、高電力（マクロ）基地局によってサービスを提供されるセルのカバレッジエリアに組み込まれる低電力基地局である。本明細書において、「高電力（high  power）」及び「低電力（low  power）」は、相対的により大きい量の電力及び相対的により小さな量の電力を指し、任意の特定のレベルの送信電力を供給するものとして解釈されるべきではない。図７を参照すると、低電力基地局１００’’は、高電力基地局１００’によってサービスを提供されるセルのカバレッジエリア内に位置する。異なるダウンリンク出力レベルは、アップリンク（ＵＬ）とダウンリンク（ＤＬ）との不均衡をもたらすことに留意されたい。重複するセルカバレッジエリアに位置するＵＥ２００’は、低電力基地局１００’’のカバーエリア外に位置する別のＵＥ２００’’とは対照的に、特に、容認できないアップリンク干渉を低電力基地局１００’’にもたらす傾向があり得る。この説明は、多くの部分的に重複するセルを有するより一般的な場合に拡張されることができる。
【００４９】
図８は、高電力基地局によってサービスを提供される１つ以上のＵＥが低電力基地局に干渉をもたらすものとして識別される動作及び方法のフローチャートである。図９は、図８において例示される動作及び方法に関連付けられるさらなる動作及び方法を例示する信号フロー図である。
【００５０】
図８及び図９を参照すると、低電力基地局（ｅＮＢ２、１００’’）は、特定のキャリアにおける高アップリンク干渉を検出し（ブロック８００）、及びもたらされる干渉が高電力基地局（ｅＮＢ１、１００’）によってサービスを提供されるＵＥからのものであると推測する。低電力基地局（ｅＮＢ２、１００’’）は、高電力基地局（ｅＮＢ１、１００’）へＸ２インタフェース上で負荷情報メッセージを用いてアップリンク干渉過負荷を通信すること（フロー９００）によってこれに応じる。
【００５１】
しかしながら、高電力基地局（ｅＮＢ１、１００’）は、サービスを提供される複数のＵＥのうち、たとえあるとしても、いずれが低電力基地局（ｅＮＢ２、１００’’）に干渉をもたらしているのかについての判定を可能にする如何なる情報も有しないかもしれない。それ故に、低電力基地局（ｅＮＢ２、１００’’）と高電力基地局（ｅＮＢ１、１００’）とは、１つ以上のＵＥによって送信されることができ、低電力基地局（ｅＮＢ２、１００’’）によって受信可能であり、且つ、いずれのＵＥがレンジ内にあったとしても、対応するＵＥを識別するために用いられることができるアップリンク信号構成について協定する（agree）（ブロック８０２）。
【００５２】
幾つかの実施形態において、高電力基地局（ｅＮＢ１、１００’）は、定義された信号タイミング、周波数及び／又はコードを有してＵＥによって送信されるべきアップリンク信号についての構成を判定する。高電力基地局（ｅＮＢ１、１００’）は、選択されたＵＥを定義された構成を有するアップリンク信号を送信するように構成する（ブロック８０４、フロー９０４）。
【００５３】
ＵＥのうちのどれに対してサービスが上記アップリンク信号の送信のために構成されるべきかを選択する際、高電力基地局（ｅＮＢ１、１００’）は、好適には、干渉を生成するＵＥに当該選択を制限する。ＵＥの数を与干渉ＵＥのみに制限するために、高電力基地局（ｅＮＢ１、１００’）は、以下を考慮し得る：１）Ｘ２セットアップメッセージにおいて低電力基地局（ｅＮＢ２、１００’’）によってレポートされる隣接セル；２）高電力基地局（ｅＮＢ１、１００’）によってサービスを提供されるＵＥによってレポートされる隣接セル。低電力基地局（ｅＮＢ２、１００’’）のネイバーでもあるセルをレポートするＵＥは、干渉ソースとなる可能性が高く、上記アップリンク信号の構成について選択されるべきである。
【００５４】
一実施形態において、高電力基地局（ｅＮＢ１、１００’）は、負荷情報メッセージにおいて示された過負荷アップリンク周波数リソースを用いるようにスケジューリングされた、サービスを提供されるＵＥについてのみ、上記アップリンク信号の構成を開始する。アップリンク信号構成は、高電力基地局（ｅＮＢ１、１００’）による使用のためのＯ＆Ｍ（Operations  &  Maintenance：オペレーション及びメンテナンス）システムによって予め決定されてもよく、その場合、アップリンク信号構成は、干渉源の識別という用途のためだけに、少なくとも部分的には当該用途のために定義され得る。
【００５５】
一実施形態において、アップリンク信号構成は、干渉源の識別という目的のためだけに用いられ、それ以外の目的でＵＥからのアップリンク信号を構成するためには用いられない。例えば、低電力基地局（ｅＮＢ２、１００’’）があるアップリンク信号構成を干渉源の識別のために予約する場合、同じアップリンク信号構成は、サービスを提供されるＵＥによる使用のために隣接基地局に割り当てられない。
【００５６】
一実施形態において、与干渉ＵＥにサービスを提供し得る複数の基地局の候補が存在する場合、低電力基地局（ｅＮＢ２、１００’’）は、負荷情報を全ての基地局の候補にシグナリングする。
【００５７】
選択されたＵＥがアップリンク信号を送信する前に、高電力基地局（ｅＮＢ１、１００’）は、アップリンク信号構成を低電力基地局（ｅＮＢ２、１００’’）にシグナリングし（ブロック８０６、フロー９０２）、それによって、当該低電力基地局が検出メカニズムを開始して、選択されたＵＥからアップリンク信号を受信する（検出する）ことを試行することができるようにする。
【００５８】
選択されたＵＥは、アップリンク信号構成を送信し（ブロック８０６、フロー９０６）、当該アップリンク信号構成は、低電力基地局（ｅＮＢ２、１００’’）によって検出され得る。図８及び図９の例において、低電力基地局（ｅＮＢ２、１００’’）は、ＵＥのうちの１つからのアップリンク信号を検出する（ブロック８０８、ブロック９０８）。
【００５９】
低電力基地局（ｅＮＢ２、１００’’）は、アップリンク信号の検出に関連付けられたタイミング及び周波数リソース情報を場合により含む検出情報を高電力基地局（ｅＮＢ１、１００’）へ通信する（ブロック８１０、フロー９１０）。高電力基地局（ｅＮＢ１、１００’）は、検出情報を用いて、与干渉ＵＥを識別する。高電力基地局（ｅＮＢ１、１００’）は、以下に説明される方法及び動作のうちの１つ以上を用いるなどして、識別されたＵＥのアップリンクリソース割り当てを調整して、低電力基地局（ｅＮＢ２、１００’’）におけるアップリンク干渉状況を軽減すること（ブロック８１２、フロー９１２）によって当該識別に応じる。
【００６０】
図１０において、低電力基地局（ｅＮＢ２、１００’’）が１つ以上のＵＥによって送信されるべきアップリンク信号構成を判定することによって特定のキャリアにおける高いアップリンク干渉の検出に応じ、並びにアップリンク干渉過負荷メッセージ（フロー９００）及びアップリンク信号構成（フロー９０２）を高電力基地局（ｅＮＢ１、１００’）へ通信することを除き、図１０は、図９について上述された動作及び方法と同様の動作及び方法を例示する信号フロー図である。例示されるフロー９００及び９０２は、１つの信号メッセージフローによって又は任意の他の数の信号メッセージフローによって実行され得る。
【００６１】
その他のメッセージフロー１００４、１００６、１０１０、及び１０１２は、それぞれフロー９０４、９０６、９１０、及び９１２について図８及び図９に関して上述された動作及び方法によって実行され得る。
【００６２】
別の実施形態において、アップリンク信号構成は、限定された時間及び周波数スパンについて定義されるが、当該アップリンク信号構成よりも大きい時間ウィンドウ内及び／又は周波数ウィンドウ内で用いられることができる。それによって、高電力基地局（ｅＮＢ１、１００’）は、アップリンク信号構成を複数のＵＥに割り当てることができるが、異なる時間オフセット及び／又は周波数オフセットを用いる。それによって、時間及び周波数オフセットは、低電力基地局（ｅＮＢ２、１００’’）からの検出情報に含まれることができる。これは、高電力基地局（ｅＮＢ１、１００’）が多数のＵＥの中から与干渉ＵＥを判定することができることを意味する。
【００６３】
別の実施形態において、図１０におけるアップリンク信号情報は、負荷情報メッセージに含まれる。
【００６４】
アップリンク信号はアップリンクチャネルサウンディング信号とすることができる
上述したように、アップリンク信号は、高電力基地局（ｅＮＢ１、１００’）によって構成され得るチャネルサウンディング信号としてＵＥによって送信されることができる。ただし、アップリンク信号は、代替的に又は付加的に低電力基地局（ｅＮＢ２、１００’’）によって構成されてもよい。従って、アップリンク信号構成は、アップリンクチャネルサウンディング構成として定義され得る。低電力基地局（ｅＮＢ２、１００’’）は、アップリンクチャネルサウンディング信号を探索するように構成される専用のコントローラ（プロセッサ）回路又は多機能コントローラ回路を備え得る。アップリンクチャネルサウンディング信号は、当該信号が定義された時間に、定義された周波数／周波数レンジにおいて、及び／又は定義されたコードを用いて送信されることに基づいて検出され得る。
【００６５】
アップリンク信号はランダムアクセスプリアンブルとすることができる
別の実施形態において、アップリンク信号は、好適には低電力基地局（ｅＮＢ２、１００’’）によって構成され得るランダムアクセスプリアンブルとしてＵＥによって送信されることができる。ただし、アップリンク信号は、代替的に又は付加的に高電力基地局（ｅＮＢ１、１００’）によって構成されてもよい。従って、アップリンク信号構成は、ランダムアクセスプリアンブル構成として定義され得る。ランダムアクセスプリアンブル信号は、ランダムアクセスプリアンブル信号を探索するために従来の手法で構成されるコントローラを用いて探索され得る。
【００６６】
ランダムアクセスプリアンブル構成は、ハンドオーバ目的を対象とするモビリティ制御情報に応じて制御されることができる。モビリティ制御情報は、そのまま用いられて、アップリンク信号検出のために用いられるランダムアクセスプリアンブルの構成を制御し得る。代替的に、モビリティ制御情報は、アップリンク信号検出の目的を容易にするように例えば以下によって調整され得る：
１）プリアンブル送信の最大数を、例えば１又は２のような小さい数として構成すること；
２）１つ以上のＵＥ干渉源の候補からのアップリンク信号の検出における使用のための特定のプリアンブルを予約すること；及び／又は、
３）その終了後はハンドオーバに障害が起きたとみなされる、短時間で満了するタイマを構成すること（例えば、ＬＴＥにおいて、このタイマはＴ３０４と表される）。
【００６７】
モビリティについてのランダムアクセスプロシージャは、アップリンク干渉をもたらすＵＥの識別を容易にするように例えば以下によって変形されることができる：
１）要因「アップリンク干渉源ＩＤ」又は同様のものをランダムアクセスを定義するために用いられるモビリティ制御情報の一部として示すこと；
２）進行中の送信との競合を回避するためにＵＥがＤＲＸ（discontinuous  reception：不連続受信）において送信していないときの時間ウィンドウを使用するようにランダムアクセスを構成すること；
３）ＵＥがランダムアクセス応答をリッスンせず、その代わりに高電力基地局（ｅＮＢ１、１００’）への再確立を開始するように制御すること；
３）アップリンク干渉源ＩＤに関連付けられるランダムアクセスプリアンブルに低電力基地局（ｅＮＢ２、１００’’）が応答しないように制御すること；
４）ランダムアクセス送信について異なるランダムアクセス電力制御を用いるように、例えば、障害が起きたランダムアクセスプリアンブルの受信におけるものとは異なる電力増加ステップを用いるように低電力基地局（ｅＮＢ２、１００’’）を制御すること；
５）無線リンク障害レポートにおけるアップリンク干渉源識別メカニズムに関連付けられるハンドオーバ障害を含まないようにＵＥを制御すること；
６）ＲＡプリアンブルを送信している間は進行中の無線ベアラを停止しないようにＵＥを制御すること；及び／又は、
７）試行が成功裏に為された場合、低電力基地局（ｅＮＢ２、１００’’）への接続を完了するようにＵＥを制御すること。
【００６８】
ランダムアクセスプロシージャは、モバイルがランダムアクセスプリアンブルを送信する前に低電力基地局（ｅＮＢ２、１００’’）に同期することを必要としないようにさらに変形されることができる。アップリンク干渉源識別の目的のために、ランダムアクセスプロシージャへの関連する調整が為されることができる。例えば、高電力基地局は、以下を行うことができる：
１）高電力基地局からの観測される無線状態に関連するランダムアクセスプリアンブル送信電力を使用するようにモバイルを構成すること；
２）高電力基地局の受信ダウンリンクに関連するランダムアクセスプリアンブル送信時点を使用するようにモバイルを構成すること；及び／又は、
３）高電力基地局を基準としてランダムアクセスを用いるようにモバイルを構成すること。
【００６９】
これらの例に加えて、低電力基地局は、例えば、低電力基地局によってサービスを提供されるユーザについて構成されるランダムアクセスプロシージャに関連付けられる時間間隔、及び／又は周波数リソース及び／又はコードリソースだけではなく、如何なる時も、如何なる周波数リソースの候補においても、如何なるコードリソースの候補においてもランダムアクセスプリアンブルを探索するようにランダムアクセス受信プロシージャを構成することなどによって、アップリンク干渉源識別のための専用の検出メカニズムを実装し得る。
【００７０】
アップリンク信号は復調リファレンス信号とすることができる
別の実施形態において、アップリンク信号は、アップリンクデータ送信の期間中にＵＥがデータに組み込む復調リファレンス信号としてＵＥによって送信されることができる。
【００７１】
アップリンク信号はスケジューリング割り当てとすることができる
別の実施形態において、アップリンク信号は、ＵＥがアップリンクデータを送ることができる時間及び周波数を示すスケジューリング割り当てとすることができる。アップリンク信号を検出するために低電力基地局（ｅＮＢ２、１００’’）によって実行される動作及び方法は、高レベル（例えば、少なくとも閾値レベル又は少なくとも閾値レベルの増加分）のアップリンク干渉が発生する周波数及び時間を識別することを含むことができる。この情報は、高電力基地局（ｅＮＢ１、１００’）へ通信され、当該情報は、以前のスケジューリング割り当てについての情報と共に用いられて、高電力基地局（ｅＮＢ１、１００’）によってサービスを提供される複数のＵＥの中から与干渉ＵＥが識別される。
【００７２】
さらなる実施形態
種々の実施形態が高電力基地局及び低電力基地局によって実行される動作及び方法のコンテキストにおいて説明されてきたが、これらの実施形態は、ヘテロジニアスネットワークと共に用いることに限定されない。それどころか、本明細書において説明される実施形態は、任意のタイプの１つ以上の基地局（ネットワークノード）によって実施されて、当該１つ以上の基地局のうちの１つへのアップリンク干渉のソース、即ち別の基地局によってサービスを提供されているＵＥの識別を容易にし得る。さらなる実施形態は、ヘテロジニアスネットワーク、ホモジニアスネットワーク、又は他のネットワーク構成においてアップリンク干渉を制御するために用いられることができる動作及び方法を例示する図１１〜図１２のフローチャートに関して以下に説明される。
【００７３】
図１１は、ＵＥ２００に無線通信サービスを提供する少なくとも１つのネットワークノード１００’、１００’’において実行される動作及び方法のフローチャートである。図１１を参照すると、アップリンク干渉が被干渉ネットワークノード１００’’において検出される（ブロック１１００）。サービングネットワークノード１００’によってサービスを提供されるＵＥ２００’による定義された構成を有するアップリンク信号のアップリンク送信の開始は、アップリンク干渉に応じてトリガされる（ブロック１１０２）。アップリンク信号は、定義された構成を用いて被干渉ネットワークノード１００’’において検出される（ブロック１１０４）。ＵＥ２００’は、検出されたアップリンク信号に応じてアップリンク干渉の一因（contributor）であるとして識別される（ブロック１１０６）。サービングネットワークノード１００’及び／又は被干渉ネットワークノード１００’’は、検出されたアップリンク信号の特性（例えば、信号タイミング、周波数、及び／又はコード）に基づいてＵＥ２００’を識別するように構成され得る。ＵＥ２００’及び／又はサービングネットワークノード１００’によってサービスを提供される別のＵＥによる別のアップリンク送信は、アップリンク干渉を低減するように制御される（ブロック１１０８）。
【００７４】
一実施形態において、被干渉ネットワークノード１００’’は、ＵＥ２００’の制御における使用のためのアップリンク信号構成を生成し及びサービングネットワークノード１００’へ通信する。図１２を参照すると、ＵＥ２００’によるアップリンク信号の送信は、アップリンク信号を送信するためにＵＥ２００’によって用いられるべき定義された周波数、定義されたタイミング、及び／又は定義された信号コードを識別するためのアップリンク構成メッセージを被干渉ネットワークノード１００’’に生成させること（１２００）を含むことができる。被干渉ネットワークノード１００’’は、ＵＥ２００’によって送信されるべきアップリンク信号の定義された構成を識別するアップリンク構成メッセージをサービングネットワークノード１００’へ通信すること（ブロック１２０２）ができる。サービングネットワークノード１００’は、定義された構成に応じて、ＵＥ２００’を制御して、定義された周波数において、定義されたタイミングで、及び／又は定義された信号コードを用いてアップリンク信号を送信させる（ブロック１２０４）。サービングネットワークノード１００’、被干渉ネットワークノード１００’’及び／又は別のネットワークノードは、アップリンク信号の検出に関連付けられる周波数、タイミング、及び／又は信号コードと、アップリンク構成メッセージによって識別され及びアップリンク信号を送信するためにＵＥ２００’によって用いられる定義された周波数、定義されたタイミング、及び／又は定義された信号コードとの比較に応じてＵＥ２００’を識別すること（ブロック１２０６）ができる。
【００７５】
別の実施形態において、サービングネットワークノード１００’は、ＵＥ２００’によって送信されるアップリンク信号の検出の試行における使用のためにアップリンク信号構成を生成し及び被干渉ネットワークノード１００’’へ通信する。図１３を参照すると、被干渉ネットワークノード１００’’は、アップリンク干渉の標識をサービングネットワークノード１００’へ通信する（ブロック１３００）。サービングネットワークノード１００’は、アップリンク信号を送信するためにＵＥ２００’によって用いられるべき定義された周波数、定義されたタイミング、及び／又は定義された信号コードを識別するためのアップリンク構成メッセージを生成する（ブロック１３０２）。サービングネットワークノード１００’は、ＵＥ２００’によって送信されるべきアップリンク信号の定義された構成を識別するアップリンク構成メッセージを被干渉ネットワークノード１００’’へ通信する（ブロック１３０４）。被干渉ネットワークノード１００’’は、当該アップリンク構成メッセージを用いて、アップリンク信号を検出することができる。サービングネットワークノード１００’は、定義された構成に応じてＵＥ２００’を制御して、定義された周波数において、定義されたタイミングで、及び／又は定義された信号コードを用いてアップリンク信号を送信させる（ブロック１３０６）。サービングネットワークノード１００’、被干渉ネットワークノード１００’’及び／又は別のネットワークノードは、アップリンク信号の検出に関連付けられる周波数、タイミング、及び／又は信号コードと、アップリンク構成メッセージにおいて識別され及びアップリンク信号を送信するためにＵＥ２００’によって用いられる定義された周波数、定義されたタイミング、及び／又は定義された信号コードとの比較に応じてＵＥ２００’を識別すること（ブロック１３０８）ができる。
【００７６】
図１４及び図１５は、ネットワークノード１００’’に干渉している１つ以上のＵＥを識別するために用いられるアップリンク信号を複数のＵＥに送信させる動作及び方法のフローチャートを例示する。図１４を参照すると、サービングネットワークノード１００’は、定義された構成に応じてＵＥ２００’及びＵＥ２００’’のうちの少なくとも別の１つを制御して、制御されるＵＥ２００’、２００’’から異なる定義された周波数、異なる定義されたタイミング、及び／又は異なる定義された信号コードでアップリンク信号を送信させて、被干渉ネットワークノードにおけるアップリンク信号の各々の別個の検出を可能にする（ブロック１４００）。
【００７７】
図１５を参照すると、被干渉ネットワークノードは、制御されるＵＥ２００’、２００’’によって送信されるアップリンク信号のうちの少なくとも１つを検出する(ブロック１５００)。検出されたアップリンク信号に対応するＵＥは、検出されたアップリンク信号の各々に関連付けられる周波数、タイミング、及び／又は信号コードと、当該アップリンク信号が送信された定義された周波数、定義されたタイミング、及び／又は定義された信号コードとを比較すること（ブロック１５０２）によって識別される。被干渉ネットワークノード１００’’へのアップリンク干渉は、識別された少なくとも１つの制御されるＵＥによって送信されるべき少なくとも１つのアップリンク信号の構成を調整すること（ブロック１５０４）によって低減される。
【００７８】
種々のさらなる実施形態は、被干渉ネットワークノード１００’’に干渉をもたらしている可能性があり、それ故に、干渉をもたらしているか否かを確認するためにアップリンク信号を送信するために用いられる１つ以上のＵＥをサービングネットワークノード１００’がどのように選択するかを対象とする。ＵＥ２００’によるアップリンク信号のアップリンク送信を開始する図１６を参照すると、サービングネットワークノード１００’は、被干渉ネットワークノード１００’’によって生成される隣接セルレポートに応じて、サービングネットワークノード１００’によってサービスを提供される複数のＵＥ２００’、２００’’の中からＵＥ２００’を選択する（ブロック１６００）。代替的に又は付加的に、サービングネットワークノード１００’は、ＵＥ２００’からの隣接セルレポートに応じて、複数のＵＥ２００’、２００’’の中からＵＥ２００’を選択してもよい（ブロック１６０２）。サービングネットワークノード１００’は、定義された構成に応じてＵＥ２００’を制御して、アップリンク信号を送信させる（ブロック１６０４）。
【００７９】
上述され及び図１７において示されるように、サービングネットワークノード１００’は、定義された構成に応じてＵＥ２００’を制御して、チャネルサウンディング信号としてのアップリンク信号を送信させることができる（ブロック１７００）。
【００８０】
上述され及び図１８において示されるように、アップリンク信号は、ランダムアクセスプリアンブルとして構成されることができる。サービングネットワークノード１００’及び／又は被干渉ネットワークノード１００’’は、ランダムアクセスプリアンブルの少なくとも一部を被干渉ネットワークノード１００’’において定義することができる（ブロック１８００）。サービングネットワークノード１００’は、ＵＥ２００’を制御して、アップリンク信号をランダムアクセスプリアンブルと共に送信させる（ブロック１８０２）。被干渉ネットワークノード１００’’は、ＵＥ２００’がランダムアクセスプリアンブルを送信するであろうことを認識しており、及び当該ランダムアクセスプリアンブルの少なくとも一部の受信を検出する（ブロック１８０４）。
【００８１】
ＵＥ２００’によって送信されるアップリンク信号は、復調リファレンス信号として構成されることができる。図１９を参照すると、サービングネットワークノード１００’は、ＵＥ２００’を制御して、定義された構成に応じて生成されるデータを含む復調リファレンス信号を送信させる（ブロック１９００）。被干渉ネットワークノード１００’’は、ＵＥ２００’が復調リファレンス信号を送信するであろうことを認識しており、及び当該復調リファレンス信号の受信を検出する。
【００８２】
アップリンクリソース調整
非限定的な例として、１つ以上のＵＥによるアップリンク送信を制御して、低電力基地局（ｅＮＢ２、１００’’）へのアップリンク干渉を低減するための種々の動作及び方法が、ここで説明されるであろう。図６を再度参照すると、高電力基地局（ｅＮＢ１、１００’）は、アップリンクキャリア周波数ｆ１及びｆ２のそれぞれで動作する２つのセルにサービスを提供する。低電力基地局（ｅＮＢ２、１００’’）は、アップリンクキャリアｆ２で動作するセルにサービスを提供する。１つ以上の実施形態について上述された動作及び方法は、低電力基地局（ｅＮＢ２、１００’’）に干渉をもたらしているＵＥを識別するために実行された。さらに、この例について、アップリンク干渉は、キャリア周波数ｆ２において存在すると判定された。
【００８３】
種々のさらなる実施形態によれば、以下のリソース管理アクションのうちの１つ以上が高電力基地局（ｅＮＢ１、１００’）によって用いられて、低電力基地局（ｅＮＢ２、１００’’）へのアップリンク干渉を低減することができる。
【００８４】
一実施形態において、高電力基地局（ｅＮＢ１、１００’）は、検出されたＵＥのサービングセルをキャリアｆ２で動作するセルからキャリアｆ１で動作するセルへ変更する。
【００８５】
別の実施形態において、高電力基地局（ｅＮＢ１、１００’）は、（ＵＥが低電力基地局（ｅＮＢ２、１００’’）に干渉している）セカンダリアップリンクキャリアｆ２を、検出されたＵＥにアグリゲートすることを回避する。その代わりに、ＵＥには、当該ＵＥが低電力基地局（ｅＮＢ２、１００’’）への干渉源として識別されないキャリアにおけるリソース、本例においてはキャリアｆ１のみが割り当てられる。同様の実施形態において、高電力基地局（ｅＮＢ１、１００’）は、（ＵＥが低電力基地局（ｅＮＢ２、１００’’）に干渉している）セカンダリアップリンクキャリアｆ２をアグリゲートするが、検出されたＵＥにより低い送信電力を用いる。また別の同様の実施形態において、高電力基地局（ｅＮＢ１、１００’）は、（ＵＥが低電力基地局（ｅＮＢ２、１００’’）に干渉している）セカンダリアップリンクキャリアｆ２をアグリゲートするが、別のアップリンクキャリアからのクロススケジューリングを検出されたＵＥに用いて、セカンダリアップリンクキャリア上での低電力基地局（ｅＮＢ２、１００’’）への制御チャネル干渉を回避する。
【００８６】
別の実施形態において、高電力基地局（ｅＮＢ１、１００’）は、例えば、Ｘ２上の負荷情報メッセージ内のＵＬ高干渉標識を介して、キャリアｆ２上の検出されたＵＥについての（典型的に、帯域制限された）意図されるアップリンクリソース割り当てを通信する。
【００８７】
別の実施形態において、高電力基地局（ｅＮＢ１、１００’）は、キャリアｆ２上での予測可能性のために、検出されたＵＥを永続的に及び周波数における帯域を制限してスケジューリングする。結果として、低電力基地局（ｅＮＢ２、１００’’）は、それらの帯域を識別し及びセルエッジユーザを他へスケジューリングすることができる。
【００８８】
別の実施形態において、高電力基地局（ｅＮＢ１、１００’）は、低電力基地局（ｅＮＢ２、１００’’）との間で殆ど空のサブフレームなどのダウンリンク送信ギャップを協調させる。
【００８９】
上述したように、これらの実施形態は、ヘテロジニアスネットワークとの使用に限定されず、ホモジニアスネットワーク又は他のタイプのネットワークと共に用いられ得る。図２０は、ＵＥ２００’及び／又はサービングネットワークノード１００’によってサービスを提供される別のＵＥ２００’’によるアップリンク送信を制御して、アップリンク干渉を低減するために用いられることができるさらなる動作及び方法のフローチャートである。図１７を参照すると、１つ以上の被干渉周波数は、被干渉ネットワークノード１００’’によって用いられており且つＵＥ２００’によって送信されるアップリンク信号によって干渉されるものであるとして識別される（ブロック２０００）。サービングネットワークノード１００’は、当該識別に応じて、ＵＥ２００’によって及び／又は別のＵＥ２００’’によって用いられる１つ以上の周波数を、識別された１つ以上の被干渉周波数を回避するように制御する（ブロック２００２）。例えば、サービングネットワークノード１００’は、利用可能な周波数からの選択を、識別された１つ以上の被干渉周波数を選択することなく、アップリンク送信についてＵＥ２００’、２００’’によるアグリゲートされた使用のために行うことができる。
【００９０】
図２１は、干渉を低減するための代替的な又は付加的なアプローチを例示する。図２１を参照すると、サービングネットワークノード１００’及び被干渉ネットワークノード１００’’は、ＵＥ１００’についてのアップリンク送信のスケジュールを協調的に行うこと（ブロック２１００）ができる。サービングネットワークノード１００’は、協調的に行われたスケジュールに応じてＵＥ２００’からのアップリンク送信を制御すること（ブロック２１０２）ができる。
【００９１】
高電力基地局及び低電力基地局は、アップリンク干渉源の識別の試行についての統計値を集計（summarize）すること、例えば、試行の回数及び成功した試行の回数を数えることができる。この統計値は、要求に応じて、定期的に、又はレポート条件が満たされた場合に、図４のオペレーション及びメンテナンスノード（４００）又は（４０２）にレポートされることができる。図４のオペレーション及びメンテナンスノード（４００）又は（４０２）は、統計値のレポーティングを構成し、並びに高電力基地局及び低電力基地局それぞれにおけるアップリンク干渉源識別メカニズムも構成し得る。
【００９２】
例示的なネットワークノード及びユーザ機器ノードの構成
図２２は、本発明の幾つかの実施形態に従って構成されるネットワークノード２２００のブロック図であり、当該ノードの要素は、基地局（ｅＮＢ）１００、ＭＭＥ／Ｓ−ＧＷ１１０、及び／又は図１のシステムの別のネットワークノード、及び／又は図４のシステムの別のノードに含まれ得る。ネットワークノード２２００は、送受信器２２０１、ネットワークインタフェース２２０２、プロセッサ回路２２０４、及び機能モジュール２２０８を含むメモリデバイス２２０６を備える。
【００９３】
送受信器２２０１（例えば、３ＧＰＰ準拠の送受信器又はＲＦ通信送受信器）は、１つ以上のＵＥ又はシステム１００の別のノードと通信するように構成される。プロセッサ２２０４は、１つ以上のデータ処理回路（例えば、マイクロプロセッサ及び／又はデジタル信号プロセッサ）を含み得る。プロセッサ２２０４は、コンピュータ読取可能な媒体として以下に説明されるメモリデバイス２２０６の機能モジュール２２０８からのコンピュータプログラム命令を実行して、本発明の１つ以上の実施形態に従って基地局（ｅＮＢ）、ＭＭＥ／Ｓ−ＧＷ及び／又は別のネットワークノードによって実行されるものとして本明細書において説明される動作及び方法のうちの少なくとも幾つかを実行する。ネットワークインタフェース２２０２は、（基地局内に設けられる場合）ＭＭＥ／Ｓ−ＧＷと通信し又は（ＭＭＥ／Ｓ−ＧＷ内に設けられる場合）基地局と通信する。
【００９４】
図２３は、上述され及び本発明の幾つかの実施形態に従って構成されるＵＥ２００のブロック図である。ＵＥ２００は、送受信器２３０２、プロセッサ回路２３０４、及び機能モジュール２３０８を含むメモリデバイス２３０６を備える。ＵＥ２００は、ディスプレイ２３１０、ユーザ入力インタフェース２３１２、及びスピーカ２３１４といった他の要素をさらに備え得る。
【００９５】
送受信器４０２（例えば、３ＧＰＰ準拠の送受信器又は他のＲＦ通信送受信器）は、無線通信インタフェース上で基地局（ｅＮＢ）と通信するように構成される。プロセッサ２３０４は、１つ以上のデータ処理回路（例えば、マイクロプロセッサ及び／又はデジタル信号プロセッサ）を含み得る。プロセッサ２３０４は、コンピュータ読取可能な媒体として以下に説明されるメモリデバイス２３０６の機能モジュール２３０８からのコンピュータプログラム命令を実行して、本発明の１つ以上の実施形態に従ってＵＥによって実行されるものとして本明細書において説明される動作及び方法のうちの少なくとも幾つかを実行するように構成される。
【００９６】
ＵＥ２００は、携帯電話（「セルラ（cellular）」電話）、データ端末、並びに／又は、例えば、ポータブルコンピュータ、ポケットコンピュータ、ハンドヘルドコンピュータ、ラップトップコンピュータ、電子書籍リーダー、及び／若しくは家庭用ゲーム機といった、無線通信ケイパビリティを有する別の処理デバイスであり得る。
【００９７】
さらなる定義
本明細書において用いられる略語のうちの幾つかは、以下に定義される：
3GPP        3rd  Generation  Partnership  Project
eNodeB      E-UTRAN  NodeB
eNB        E-UTRAN  NodeB
EPC        Evolved  Packet  Core
E-UTRAN    Evolved  UTRAN
HeNB        Home  eNB
HeNB  GW    Home  eNB  Gateway
LTE        Long  Term  Evolution
MME        Mobility  Management  Entity
O&M        Operation  and  Maintenance
PLMN        Public  Land  Mobile  Network
RAN        Radio  Access  Network
RRC        Radio  Resource  Control
S1          Interface  between  eNB  and  CN.
S1AP        S1  Application  Protocol
S1-MME      Control  Plane  of  S1.
UE          User  Equipment  node
UTRAN        Universal  Terrestrial  Radio  Access  Network
X2          Interface  between  eNBs
【００９８】
ノードが別のノードに「接続され（connected）」、「結合され（coupled）」、「応答し（responsive）」又はこれらの変形であると言われる場合、当該ノードは当該別のノードに直接接続され、結合され、若しくは応答し、又は介在するノードが存在し得る。対照的に、ノードが別のノードに「直接接続され（directly  connected）」、「直接結合され（directly  coupled）」、「直接応答し（directly  responsive）」、又はこれらの変形であると言われる場合、介在するノードは存在しない。同様の番号は、全体を通して同様のノードを指す。さらに、本明細書において、「結合される」、「接続される」、「応答する」、又はこれらの変形は、無線で結合され、接続され、又は応答することを含み得る。本明細書において、単数形の「a」、「an」及び「the」は、そうでないことをコンテキストが明確に示さない限り、複数形も含むことが意図される。周知の機能又は構成は、簡潔さ及び／又は明確さのために詳細には説明されない。「及び／又は」という用語、短縮形の「／」は、関連付けられる列挙されるアイテムのうちの１つ以上のありとあらゆる組み合わせを含む。
【００９９】
本明細書において、「備える（comprise、comprising、comprises）」、「含む（include、including、includes）」、「有する（have、has、having）」、又はこれらの変形は、オープンエンドであり、１つ以上の提示された特徴、整数、ノード、ステップ、コンポーネント又は機能を含むが、１つ以上の他の特徴、整数、ノード、ステップ、コンポーネント、機能又はこれらのグループの存在又は付加を排除しない。さらに、本明細書において、ラテン語の表現“exempli  gratia”に由来する一般的な略語“e.g.（例えば）”は、先に述べられたアイテムの１つ又は複数の一般的な例を紹介し又は特定するために用いられ、そのようなアイテムを限定することを意図されない。ラテン語の表現“id  est”に由来する一般的な略語“i.e.（即ち）”は、より一般的な記述から特定のアイテムを明示するために用いられ得る。
【０１００】
例示的な実施形態は、本明細書において、コンピュータにより実装される方法、装置（システム及び／若しくはデバイス）並びに／又はコンピュータプログラムプロダクトのブロック図及び／又はフローチャート図を参照しつつ説明される。ブロック図及び／又はフローチャート図のブロック、並びにブロック図及び／又はフローチャート図におけるブロックの組み合わせは１つ以上のコンピュータ回路によって実行されるコンピュータプログラム命令によって実装されることができることが理解される。これらのコンピュータプログラム命令は、機械を製造する汎用コンピュータ回路、専用コンピュータ回路、及び／又は他のプログラマブルデータ処理回路のプロセッサ回路へ供給され、それによって、当該命令がコンピュータのプロセッサ及び／又は他のプログラマブルデータ処理装置によって実行される場合、トランジスタ、メモリロケーションに記憶された値、及びそのような回路内の他のハードウェアコンポーネントを変換し及び制御して、ブロック図及び／又はフローチャートの１つ以上のブロックにおいて特定される機能／動作を実装し、それによって、ブロック図及び／又はフローチャートのブロックにおいて特定される機能／動作を実装するための手段（機能性）及び／又は構造を生成し得る。
【０１０１】
これらのコンピュータプログラム命令は、コンピュータ又は他のプログラマブルデータ処理装置に特定の手法で機能するように命令することができる有形のコンピュータ読取可能な媒体にも記憶され、それによって、当該コンピュータ読取可能な媒体に記憶された当該命令は、ブロック図及び／又はフローチャートの１つ以上のブロックにおいて特定される機能／動作を実装する命令を含む製品を製造し得る。
【０１０２】
有形の非一時的なコンピュータ読取可能な媒体は、電子的、磁気的、光学的、電磁的、又は半導体データ記憶システム、装置、又はデバイスを含み得る。コンピュータ読取可能な媒体のより具体的な例は、以下を含むであろう：ポータブルコンピュータディスケット、ＲＡＭ（random  access  memory）回路、ＲＯＭ（read-only  memory）回路、ＥＰＲＯＭ（erasable  programmable  read-only  memory）又はフラッシュメモリ回路、ポータブルＣＤ−ＲＯＭ（compact  disc  read-only  memory）、及びポータブルデジタルビデオディスクＲＯＭ（ＤＶＤ／ＢｌｕｅＲａｙ）。
【０１０３】
コンピュータプログラム命令は、コンピュータ及び／又は他のプログラマブルデータ処理装置にもロードされて、当該コンピュータ及び／又は他のプログラマブルデータ処理装置に一連の動作ステップを実行させて、コンピュータにより実装される方法を生成し、それによって、コンピュータ又は他のプログラマブル装置上で実行される当該命令がブロック図及び／又はフローチャートの１つ以上のブロックにおいて特定される機能／動作を実装するためのステップを提供し得る。従って、本発明の実施形態は、ハードウェア及び／又はデジタル信号プロセッサなどのプロセッサ上で実行される（ファームウェア、常駐ソフトウェア、マイクロコード等を含む）ソフトウェアにおいて具現化されてもよく、当該ハードウェア及び／又はソフトウェアは、まとめて「回路」、「モジュール」又はこれらの変形と呼ばれ得る。
【０１０４】
幾つかの代替的な実装において、ブロックにおいて言及される機能／動作はフローチャートにおいて言及される順番とは異なる順番で起こり得ることにも留意すべきである。例えば、連続して示される２つのブロックは、実際には、関連する機能性／動作に依存して、実質的に同時に実行されてもよく、又はこれらのブロックは逆の順序で実行されてもよい。さらに、フローチャート及び／若しくはブロック図の所与のブロックの機能性は、複数のブロックに分けられてもよく、並びに／又はフローチャート及び／若しくはブロック図の２つ以上のブロックの機能性は、少なくとも部分的に統合されてもよい。最後に、例示されるブロックの間に他のブロックが追加され／挿入されてもよい。また、図面のうちの幾つかは通信の主な方向を示すために通信路上に矢印を含むが、通信は図示される矢印とは反対の方向において生じ得ることが理解されるべきである。
【０１０５】
多くの異なる実施形態は、上記説明及び図面に関連して本明細書に開示されている。これらの実施形態のあらゆるコンビネーション及びサブコンビネーションを文字通り説明し及び例示することは過度に反復的であり及び曖昧にすることが理解されるであろう。従って、図面を含む本明細書は、実施形態の種々の例示的なコンビネーション及びサブコンビネーション、並びにそれらを製造し及び使用する手法及び処理の書面による完全な説明を構成するものと解釈されるべきであって、そのような如何なるコンビネーション及びサブコンビネーションについての請求項もサポートすべきものである。
【０１０６】
本発明の実施形態に係る他のネットワークノード、ＵＥ、及び／又は方法は、本図面及び説明を検討すれば当業者に明確であり又は明確となるであろう。そのよう付加的なネットワークノード、ＵＥ、及び／又は方法はこの説明中に含まれ、本発明の範囲内に含まれ、及び添付の特許請求の範囲によって保護されることが意図される。さらに、本明細書において開示される全ての実施形態は別個に実装され又は任意の手法及び／又は組み合わせにおいて結合されることができることが意図される。
【図１】
0005860531.tif 000002
【図２】
0005860531.tif 000003
【図３Ａ】
0005860531.tif 000004
【図３Ｂ】
0005860531.tif 000005
【図４】
0005860531.tif 000006
【図５】
0005860531.tif 000007
【図６】
0005860531.tif 000008
【図７】
0005860531.tif 000009
【図８】
0005860531.tif 000010
【図９】
0005860531.tif 000011
【図１０】
0005860531.tif 000012
【図１１】
0005860531.tif 000013
【図１２】
0005860531.tif 000014
【図１３】
0005860531.tif 000015
【図１４】
0005860531.tif 000016
【図１５】
0005860531.tif 000017
【図１６】
0005860531.tif 000018
【図１７】
0005860531.tif 000019
【図１８】
0005860531.tif 000020
【図１９】
0005860531.tif 000021
【図２０】
0005860531.tif 000022
【図２１】
0005860531.tif 000023
【図２２】
0005860531.tif 000024
【図２３】
0005860531.tif 000025